(57)【要約】【課題】  外界の環境によって汚染された霧化液が加湿器の霧化液槽内に補充される可能性が低く、霧化液槽内に霧化液を継続的に補充するための準備作業も少なく且つ簡易な、加湿器の霧化液補充用アダプタを提供する。【解決手段】  霧化液の容器２６の封止栓３３に刺入され、刺入状態で容器２６の内側と外側とを別個に通じさせる第一及び第二の流体路を有する刺入部２７と、加湿器の霧化液槽内に挿入され、この挿入状態で霧化液槽の内側と外側とを別個に通じさせると共に第一及び第二の流体路に通じている第三及び第四の流体路を有する連結部３８とを具備する。封止栓３３に単一の刺入部２７を刺入するだけで、容器２６内と霧化液槽内とが互いに通じ、封止栓３３を外す必要がない。また、空気路と霧化液路とが形成されるので、刺入部２７が細くてもよく、刺入部２７を封止栓３３に容易に刺入することができる。【選択図】  図１
2005245708.tif 000002
【特許請求の範囲】
【請求項１】
霧化液が封入されている容器の封止栓に刺入され、この刺入状態で前記容器の内側と外側とを夫々が別個に通じさせる第一及び第二の流体路を有する刺入部と、
加湿器の霧化液槽内に挿入され、この挿入状態で前記霧化液槽の内側と外側とを夫々が別個に通じさせると共に夫々前記第一及び第二の流体路に通じている第三及び第四の流体路を有する連結部と
を具備する加湿器の霧化液補充用アダプタ。
【請求項２】
前記第三及び第四の流体路が前記連結部内で互いに隣接して延びている請求項１に記載の加湿器の霧化液補充用アダプタ。
【請求項３】
互いに離隔しており夫々前記第三及び第四の流体路が延びている第一及び第二の流通部を前記連結部が有している請求項１に記載の加湿器の霧化液補充用アダプタ。
【発明の詳細な説明】
【技術分野】
【０００１】
本発明は、加湿器の霧化液槽内に霧化液を継続的に補充するためのアダプタに関するものである。
【背景技術】
【０００２】
加湿器を運転すると加湿器の霧化液槽内に貯留されている霧化液が加湿器の外部へ噴霧されるので、加湿器を長時間に亙って連続的に運転するためには、運転に伴って減少する霧化液を霧化液槽内に継続的に補充する必要がある。この様な加湿器は、例えば下記の特許文献１に記載されている。この特許文献１の加湿器では、加湿器の霧化液槽と加湿器の上方に設置されている霧化液のタンクとが空気通路用及び霧化液通路用の二本のチューブで連結されており、タンクから霧化液槽内に霧化液が重力によって継続的に補充される。滅菌水や薬液等である霧化液をタンクに補充するためには、これらの霧化液が製薬会社等で容器内に封入されているので、この容器の封止栓を外して、容器内の霧化液をタンクに移し替る。
【特許文献１】実用新案登録第２５４３３２４号公報
【０００３】
一方、加湿器とは別のタンクを用いずに、霧化液が封入されている容器から加湿器の霧化液槽内に霧化液を直接的且つ継続的に補充する方法も考えられている。この方法では、加湿器の霧化液槽に連結されている二本のチューブを液密状態に挿入することができる二個の孔を有する蓋を用意しておき、容器の封止栓を外し、この封止栓の代わりに蓋を容器に装着してから二本のチューブをこの蓋の二個の孔に挿入するかまたは二本のチューブを蓋の二個の孔に挿入してからこの蓋を封止栓の代わりに容器に装着し、容器を転倒状態で加湿器の上方に懸吊し、容器から霧化液槽内に霧化液を重力によって継続的に補充する。
【発明の開示】
【発明が解決しようとする課題】
【０００４】
しかし、上記の特許文献１に記載されている加湿器では、加湿器の霧化液槽内に霧化液を継続的に補充するために、霧化液が封入されている容器の封止栓を外して、容器内の霧化液をタンクに移し替るので、この時に霧化液が外界に曝され、外界の環境によって汚染された霧化液が加湿器の霧化液槽内に補充される可能性が高い。また、霧化液が封入されている容器の封止栓を外して、容器内の霧化液をタンクに移し替るので、加湿器の霧化液槽内に霧化液を継続的に補充するための準備作業が多い。
【０００５】
また、二本のチューブを挿入することができる蓋を使用する上記の方法でも、霧化液が封入されている容器の封止栓を外し、この封止栓の代わりに蓋を容器に装着するので、やはり、この時に霧化液が外界に曝され、外界の環境によって汚染された霧化液が加湿器の霧化液槽内に補充される可能性が高い。また、霧化液が封入されている容器の封止栓を外し、この封止栓の代わりに蓋を容器に装着してから二本のチューブをこの蓋の二個の孔に挿入するかまたは二本のチューブを蓋の二個の孔に挿入してからこの蓋を封止栓の代わりに容器に装着するので、加湿器の霧化液槽内に霧化液を継続的に補充するための準備作業が多い。しかも、柔軟なチューブを蓋の孔に液密状態に挿入する作業は簡易であるとは言い難い。
【０００６】
従って、本発明は、外界の環境によって汚染された霧化液が加湿器の霧化液槽内に補充される可能性が低く、加湿器の霧化液槽内に霧化液を継続的に補充するための準備作業も少なく且つ簡易な、加湿器の霧化液補充用アダプタを提供することを目的としている。
【課題を解決するための手段】
【０００７】
請求項１に係る加湿器の霧化液補充用アダプタでは、霧化液が封入されている容器の封止栓に刺入部が刺入されると、この刺入部の第一及び第二の流体路が容器の内側と外側とを別個に通じさせる。また、刺入部の第一及び第二の流体路は連結部の夫々第三及び第四の流体路に通じており、連結部の第三及び第四の流体路は加湿器の霧化液槽内への挿入状態で霧化液槽の内側と外側とを別個に通じさせる。このため、容器の封止栓に単一の刺入部を刺入するだけで、刺入部の第一及び第二の流体路と連結部の第三及び第四の流体路とを介して、霧化液の容器内と加湿器の霧化液槽内とが互いに通じる。
【０００８】
しかも、容器の封止栓に刺入部を刺入するだけで、霧化液の容器内と加湿器の霧化液槽内とが互いに通じるので、霧化液が封入されている容器の封止栓を外す必要がなくて、容器内の霧化液が外界に曝されない。また、刺入部の第一及び第二の流体路と連結部の第三及び第四の流体路とを介して霧化液の容器内と加湿器の霧化液槽内とが互いに通じるので、第一及び第三の流体路と第二及び第四の流体路とが空気路及び霧化液路の夫々一方と他方とになる。このため、刺入部及び連結部が細くても、容器から霧化液槽内に霧化液を重力によって確実に補充することができる。つまり、刺入部が細くてもよいためにこの刺入部を容器の封止栓に容易に刺入することができる。
【０００９】
請求項２に係る加湿器の霧化液補充用アダプタでは、第三及び第四の流体路が連結部内で互いに隣接して延びているので、連結部の形状が全体的としては一本のチューブ状でよい。このため、霧化液補充用アダプタの全体的な構造が簡易である。
【００１０】
請求項３に係る加湿器の霧化液補充用アダプタでは、互いに離隔しており夫々第三及び第四の流体路が延びている第一及び第二の流通部を連結部が有している。このため、連結部の少なくとも第一及び第二の流通部を柔軟な材料で形成しておけば、これら第一及び第二の流通部の断面形状を別個に変形させることができる。この結果、第三及び第四の流体路を確実に閉塞することができ、加湿器に対する着脱等のために転倒状態になっている容器からの霧化液の流下を確実に防止することができる。
【発明の効果】
【００１１】
請求項１に係る加湿器の霧化液補充用アダプタでは、霧化液が封入されている容器の封止栓を外す必要がなくて、容器内の霧化液が外界に曝されないので、外界の環境によって汚染された霧化液が加湿器の霧化液槽内に補充される可能性が低い。また、容器の封止栓に単一の刺入部を刺入するだけで霧化液の容器内と加湿器の霧化液槽内とが互いに通じ、しかも、刺入部が細くてもよいためにこの刺入部を容器の封止栓に容易に刺入することができるので、加湿器の霧化液槽内に霧化液を継続的に補充するための準備作業が少なく且つ簡易である。
【００１２】
請求項２に係る加湿器の霧化液補充用アダプタでは、全体的な構造が簡易であるので、取扱いが容易であり、外観も優れている。
【００１３】
請求項３に係る加湿器の霧化液補充用アダプタでは、加湿器に対する着脱等のために転倒状態になっている容器からの霧化液の流下を確実に防止することができるので、加湿器に対する着脱作業等を容易に行うことができる。
【発明を実施するための最良の形態】
【００１４】
以下、本発明を実施するための第一及び第二の形態を、図１〜１３を参照しながら説明する。図１〜７が第一の形態を示しており、図２が第一の形態の霧化液補充用アダプタが装着されている状態の加湿器を示している。この加湿器１１では、筐体１２の外面に表示パネル１３及び操作パネル１４が設けられている。筐体１２の内部に媒体液槽１５が設けられており、媒体液槽１５の底部に振動子１６が設けられている。媒体液槽１５内に霧化液槽１７が配置されており、霧化液槽１７は霧化液槽カバー１８に覆われている。霧化液槽カバー１８には開口２１〜２３が設けられており、開口２１は筐体１２内の送風機２４に接続されている。
【００１５】
開口２３には霧化液補充用アダプタ２５が接続されており、霧化液が封入されている容器２６が霧化液補充用アダプタ２５に接続されている。容器２６はガラス製の瓶や合成樹脂製のバッグ等であってよい。図１が、霧化液補充用アダプタ２５の全体を示している。霧化液補充用アダプタ２５は針状の刺入部２７を備えており、刺入部２７は硬質の合成樹脂等から成っている。図３に示されている様に刺入部２７は鍔２８を有しており、図３、４に示されている様に刺入部２７は大径の流体路３１と小径の流体路３２とを有している。容器２６はゴム製や合成樹脂製等の封止栓３３で封止されており、刺入部２７の外径は封止栓３３に刺入可能な値である。
【００１６】
図１に示されている様に霧化液補充用アダプタ２５はチューブ状の流通部３４を備えており、流通部３４は軟質の合成樹脂等から成っている。図３に示されている様に、流通部３４の一端部は刺入部２７の基端部に外挿されている。図３、５に示されている様に流通部３４は大径の流体路３５と小径の流体路３６とを有しており、図３に示されている様に流体路３５が刺入部２７の流体路３１に接続されると共に流体路３６が刺入部２７の流体路３２に接続されている。
【００１７】
図１、６に示されている様に霧化液補充用アダプタ２５はパイプ状の挿入部３７を備えており、挿入部３７は硬質の合成樹脂等から成っている。流通部３４及び挿入部３７が刺入部２７と加湿器１１とを連結するので、これらの流通部３４及び挿入部３７が連結部３８になっている。図６に示されている様に、挿入部３７の基端部の一部にこの挿入部３７と同軸状の溝４１が形成されており、流通部３４の他端部が溝４１内まで挿入部３７の基端部に外挿されている。
【００１８】
図６、７に示されている様に挿入部３７は大径の流体路４２と小径の流体路４３とを有しており、図６に示されている様に流体路４２が流通部３４の流体路３５に接続されると共に流体路４３が流通部３４の流体路３６に接続されている。流体路４２の内周面における円周方向の一部に、挿入部３７の軸心方向に延びる突条４４が形成されている。挿入部３７の外周面には円周方向の一部に鍔４５が形成されており、霧化液槽カバー１８の開口２３の近傍部にも鍔４５と係合する凹部４６が形成されている。挿入部３７の外周面にはＯリング４７が嵌め込まれている。
【００１９】
上述の様な霧化液補充用アダプタ２５を用いつつ加湿器１１を運転するためには、まず、霧化液槽１７の下端部が浸る程度の深さまで媒体液槽１５内に水等の媒体液を入れ、霧化液槽１７及び霧化液槽カバー１８を加湿器１１に設置する。そして、挿入部３７をその先端部から開口２３内へ挿入し、鍔４５が凹部４６と同じ高さになると、挿入部３７をその軸心の回りに指で回転させて、鍔４５を凹部４６内へ嵌合する。この嵌合状態では、霧化液槽カバー１８から挿入部３７を引き抜く力を挿入部３７に加えても、挿入部３７は霧化液槽カバー１８から抜けない。また、この嵌合状態では、Ｏリング４７によって開口２３が気密状態に保持されている。
【００２０】
次に、霧化液が封入されている容器２６の封止栓３３に刺入部２７を刺入し、適当な懸吊具によって容器２６を転倒状態で加湿器１１の上方に懸吊する。すると、流体路３１、３５、４２の組と流体路３２、３６、４３の組との一方を通って空気が容器２６内へ入り、これらの組の他方を通って容器２６内の霧化液が霧化液槽１７内へ流下する。ある程度の深さまで霧化液槽１７内に霧化液が溜まると、操作パネル１４の操作によって振動子１６及び送風機２４を作動させる。振動子１６の振動によって媒体液槽１５内の媒体液が振動し、この媒体液の振動によって霧化液槽１７内の霧化液も振動して、霧化液槽カバー１８内に霧化状液が形成される。
【００２１】
一方、送風機２４によって開口２１を介して霧化液槽カバー１８内に空気が送り込まれるので、送り込まれた空気と共に霧化液槽カバー１８内の霧化状液が開口２２から噴霧される。挿入部３７の先端部が霧化液に浸る程度の深さまで霧化液槽１７内に霧化液が溜まると、容器２６内から霧化液槽１７内への霧化液の流下が停止する。しかし、加湿器１１の運転の継続によって霧化液槽１７内の霧化液の液面が低下すると、容器２６内から霧化液槽１７内への霧化液の流下が再開する。この様な定常状態では、大径の流体路３１、３５、４２の組を通って空気が容器２６内へ入り、小径の流体路３２、３６、４３の組を通って容器２６内の霧化液が流下する。
【００２２】
挿入部３７の流体路４２の内周面に突条４４が形成されているので、定常状態でも、流体路４２内を空気が流れ易く、容器２６内から液槽１７内への霧化液の流下が円滑に行われる。なお、以上の説明では、挿入部３７を霧化液槽カバー１８の開口２３内へ挿入した後に、容器２６を転倒状態で加湿器１１の上方に懸吊している。しかし、図１、２に示されている様に、チューブ状の流通部３４を閉塞するコック４８を用いれば、転倒状態になっている容器２６からの霧化液の流下を防止することができるので、容器２６を転倒状態で加湿器１１の上方に懸吊した後に、挿入部３７を霧化液槽カバー１８の開口２３内へ挿入することもできる。
【００２３】
図８〜１３が、第二の形態の霧化液補充用アダプタを示している。この第二の形態の霧化液補充用アダプタも、図２に示されている加湿器１１に装着される。図８が、第二の形態の霧化液補充用アダプタ５１の全体を示している。霧化液補充用アダプタ５１は針状の刺入部５２を備えており、刺入部５２は硬質の合成樹脂等から成っている。図９に示されている様に、刺入部５２は鍔５３と大径の流体路５４及び小径の流体路５５とを有している。小径の流体路５５は刺入部５２の全長に亙っては延びておらず、流体路５５に通じる分岐部５６が刺入部５２の外側面に設けられている。刺入部５２の外径は封止栓３３に刺入可能な値である。
【００２４】
図８、９に示されている様に霧化液補充用アダプタ５１はチューブ状の流通部５７、５８を備えており、流通部５７、５８は軟質の合成樹脂等から成っている。図９に示されている様に流通部５７の一端部は刺入部５２の基端部に外挿されており、図９、１０に示されている様に流通部５８の一端部は刺入部５２の分岐部５６に外挿されている。従って、流通部５７は刺入部５２の流体路５４に接続されており、流通部５８は刺入部５２の分岐部５６を介して流体路５５に接続されている。
【００２５】
図８、１１に示されている様に霧化液補充用アダプタ５１はパイプ状の結合アダプタ６１を備えており、結合アダプタ６１は硬質の合成樹脂等から成っている。図１１、１２に示されている様に、結合アダプタ６１は大径の流体路６２と小径の流体路６３とを有している。小径の流体路６３は結合アダプタ６１の全長に亙っては延びておらず、流体路６３に通じる分岐部６４が結合アダプタ６１の外側面に設けられている。図１１に示されている様に流通部５７の他端部は結合アダプタ６１の流体路６２に接続されており、図１１、１２に示されている様に流通部５８の他端部は結合アダプタ６１の分岐部６４を介して流体路６３に接続されている。
【００２６】
図１１に示されている様に流体路６３にはサブチューブ６５の一端部が外挿されており、サブチューブ６５は軟質の合成樹脂等から成っている。図８、１１に示されている様に、霧化液補充用アダプタ５１はパイプ状の挿入部６６を備えており、挿入部６６は硬質の合成樹脂等から成っている。図１１に示されている様に、挿入部６６の基端部の一部にこの挿入部６６と同軸状の溝６７が形成されている。図１１、１３に示されている様に、挿入部６６は流体路６８を有しており、図１３に示されている様に、流体路６８の内周面における円周方向の一部に、挿入部６６の軸心方向に延びる突条７１が形成されている。
【００２７】
挿入部６６の外周面には円周方向の一部に、霧化液槽カバー１８の開口２３の近傍部における凹部４６と係合する鍔７２が形成されている。挿入部６６の外周面にはＯリング４７が嵌め込まれている。挿入部６６の流体路６８内にサブチューブ６５が挿入されている状態で、結合アダプタ６１と挿入部６６とに結合チューブ７３が外挿されている。流通部５７、５８、結合アダプタ６１、サブチューブ６５、挿入部６６及び結合チューブ７３が刺入部５２と加湿器１１とを連結するので、これらの流通部５７、５８、結合アダプタ６１、サブチューブ６５、挿入部６６及び結合チューブ７３が連結部７４になっている。
【００２８】
上述の様な霧化液補充用アダプタ５１を用いつつ加湿器１１を運転するための操作は、図１〜７に示されている霧化液補充用アダプタ２５を用いつつ加湿器１１を運転するための操作と実質的に同じである。但し、流通部５７、５８が夫々一重のパイプ状であるので、図１〜７に示されている霧化液補充用アダプタ２５における流通部３４と材料が同じであれば、二重のパイプ状である流通部３４よりも流通部５７、５８の方が変形させ易い。従って、図８に示されている様に流通部５７、５８の夫々をコック７５、７６によって確実に閉塞することができ、加湿器１１に対する着脱等のために転倒状態になっている容器２６からの霧化液の流下を確実に防止することができる。
【００２９】
なお、以上の霧化液補充用アダプタ２５、５１においては、流体路３１、３２、３５、３６、４２、４３、５４、５５、６２、６３、６８、流通部５７、５８、及びサブチューブ６５の何れもが一本の通路しか有していないが、これらが複数本の通路を有していてもよい。
【産業上の利用可能性】
【００３０】
本発明による加湿器の霧化液補充用アダプタでは、外界の環境によって汚染された霧化液が加湿器の霧化液槽内に補充される可能性が低い。このため、本発明による加湿器の霧化液補充用アダプタは、滅菌水を用いて新生児室等の湿度を制御するための装置や、加湿器１１の開口２２に接続されている喘息等の吸入療法用のマスクに薬液である霧化液を供給するための装置等として、利用可能である。
【図面の簡単な説明】
【００３１】
【図１】本発明による加湿器の霧化液補充用アダプタの第一の形態の全体を示す側断面図である。
【図２】本発明による加湿器の霧化液補充用アダプタの第一の形態が加湿器に装着されている状態を示す側面図である。
【図３】本発明による加湿器の霧化液補充用アダプタの第一の形態における刺入部近傍を示す側断面図である。
【図４】図３及び図９のＩＶ−ＩＶ線に沿う位置における断面図である。
【図５】図３のＶ−Ｖ線に沿う位置における断面図である。
【図６】本発明による加湿器の霧化液補充用アダプタの第一の形態における連結部の要部を示す側断面図である。
【図７】図６のＶＩＩ−ＶＩＩ線に沿う位置における断面図である。
【図８】本発明による加湿器の霧化液補充用アダプタの第二の形態の全体を示す側断面図である。
【図９】本発明による加湿器の霧化液補充用アダプタの第二の形態における刺入部近傍を示す側断面図である。
【図１０】図９のＸ−Ｘ線に沿う位置における断面図である。
【図１１】本発明による加湿器の霧化液補充用アダプタの第二の形態における連結部の要部を示す側断面図である。
【図１２】図１１のＸＩＩ−ＸＩＩ線に沿う位置における断面図である。
【図１３】図１１のＶＩＩＩ−ＶＩＩＩ線に沿う位置における断面図である。
【符号の説明】
【００３２】
１１    加湿器
１７    霧化液槽
２５    霧化液補充用アダプタ
２６    容器
２７    刺入部
３１    流体路（第一の流体路）
３２    流体路（第二の流体路）
３３    封止栓
３５    流体路（第三の流体路）
３６    流体路（第四の流体路）
３８    連結部
４２    流体路（第三の流体路）
４３    流体路（第四の流体路）
５１    霧化液補充用アダプタ
５２    刺入部
５４    流体路（第一の流体路）
５５    流体路（第二の流体路）
５７    流通部（第一の流通部）
５８    流通部（第二の流通部）
６５    サブチューブ（第四の流体路）
６８    流体路（第三の流体路）
７４    連結部
【図１】
2005245708.tif 000003
【図２】
2005245708.tif 000004
【図３】
2005245708.tif 000005
【図４】
2005245708.tif 000006
【図５】
2005245708.tif 000007
【図６】
2005245708.tif 000008
【図７】
2005245708.tif 000009
【図８】
2005245708.tif 000010
【図９】
2005245708.tif 000011
【図１０】
2005245708.tif 000012
【図１１】
2005245708.tif 000013
【図１２】
2005245708.tif 000014
【図１３】
2005245708.tif 000015